(57)【要約】【課題】  光電素子を用いた非接触型センサが天井側に配置された蛍光灯等の外部光源からの光によって誤作動することを防止することができ、これによって遊技者の意図しない所定のパチンコ遊技の誤動作を防止すること。【解決手段】  上皿扉３１を開けインターロックスイッチ３７がオンとなりパチンコ遊技が不可能な状態に制御されたインターロック状態で、感度調整ボリューム３３によって、発光光の反射光以外の外部光源の光受光では非接触型センサ３０が反応しないように受光感度調整を行う。この確認を点検用ＬＥＤ３５の点灯で行う。【選択図】      図１
2005185364.tif 000002
【特許請求の範囲】
【請求項１】
発光素子から発光した光が、この光の放射方向にかざされた光の反射手段で反射された際に、この反射光を受光素子で受光し、この受光に応じた電圧に変換された受光電圧が基準電圧を越えた際にスイッチング動作を行う非接触型センサを有し、そのスイッチング動作によってパチンコ遊技の所定動作を制御するようになされたパチンコ機において、
前記反射光以外の外部光源の光受光による受光電圧が前記基準電圧を越えないように当該基準電圧を制御する感度制御手段と、
前記第１の制御手段による制御が行われる際に、前記パチンコ遊技ができない状態にインターロックをかけるインターロック手段と、
前記感度制御手段によって、前記基準電圧が、前記反射光以外の外部光源の光受光による受光電圧が当該基準電圧を越えないように制御された際に、この制御完了を人に確認可能に通知する通知手段と
を備えたことを特徴とするパチンコ機。
【請求項２】
人による操作が可能で、パチンコ機における鍵がかかる扉の内部に配設された操作手段を更に備え、
前記操作手段の操作量に応じて前記感度制御手段による前記基準電圧の制御が行われ、且つパチンコ機の鍵がかかる扉の内部に配設された操作手段を更に備え、
前記扉が開放されることにより前記インターロックがかかるように制御され、この後、前記操作手段の操作量に応じて前記基準電圧が制御されるようにした
ことを特徴とする請求項１に記載のパチンコ機。
【発明の詳細な説明】
【技術分野】
【０００１】
本発明は、遊技盤の前面に配設された非接触型センサに手をかざすことによって、画面に表示動作中の図柄を停止させる機能を備えたパチンコ機に関する。
【背景技術】
【０００２】
従来からパチンコ機においては、遊技に変化を持たせるために遊技者がスイッチを操作する構成が採られている。例えば遊技盤において遊技者が操作し易い位置に配設された接触型のタッチセンサや、光電素子を用いた非接触型センサがある。これらのセンサは、一般的に遊技盤の画面に表示動作中の図柄を停止させる目的で設けられている。
タッチセンサは、遊技者が当該センサを手で直接触れたことを検知するものであり、この検知によって動作中の図柄が停止するようになっている。
【０００３】
非接触型センサは、当該センサの前方を遊技者が手をかざすことによって、上記同様に動作中の図柄を停止させるためのものであり、例えば図４に示すように取り付けられている。即ち、パチンコ機の遊技盤１１の前面左隅の領域に、非接触型センサを取り付けるためのベース１３が配設され、このベース１３に非接触型センサ１５が固定されている。
この非接触型センサ１５は、図５に示す遊技盤１１の非接触型センサ１５部分の断面図に破線矢印で示すように、発光素子１５ａから光を発光して外部へ放射しており、この放射光が手１９で反射されると、この反射光を受光素子１５ｂで受光することによってスイッチング動作（スイッチオン）するようになっている。このスイッチング動作によって、図柄の動作が停止する。
【０００４】
この種の従来のパチンコ機として、例えば特許文献１に記載のものがある。
【特許文献１】特願２００２−３２８７６３号公報
【発明の開示】
【発明が解決しようとする課題】
【０００５】
ところで、従来のパチンコ機においては、パチンコ店に遊技盤１１を設置する際に、図６に示すように、遊技盤１１の盤面１１ａを、水平な床面に垂直な垂直線２１に対して所定角度θ＝約１度で交わるように傾け、この斜め上向きに傾けることによって盤面１１ａを球が流下するように設置される。
しかし、このように盤面１１ａが斜め上向きとなるように設置されると、盤面１１ａに固定された非接触型センサ１５の発光／受光面１５ｄも同様に斜め上向きとなるので、天井２２に固定（又は天井２２側に配設）されている蛍光灯２３からの破線矢印で示す光が、発光／受光面１５ｄに受光状態となりやすい角度で入射される。このため、非接触型センサ１５が蛍光灯２３の光を受光し易くなって誤作動するという問題がある。
【０００６】
また、図柄が動作中の場合に、遊技者が手をかざしていないにも関らず非接触型センサ１５が上記のように誤作動すると、遊技者の意図に反して動作中の図柄が停止してしまうなど、所定のパチンコ遊技の誤動作が生じる問題がある。
本発明は、このような課題に鑑みてなされたものであり、光電素子を用いた非接触型センサが天井側に配置された蛍光灯等の外部光源からの光によって誤作動することを防止することができ、これによって遊技者の意図しない所定のパチンコ遊技の誤動作を防止することができるパチンコ機を提供することを目的としている。
【課題を解決するための手段】
【０００７】
上記目的を達成するために、本発明の請求項１によるパチンコ機は、発光素子から発光した光が、この光の放射方向にかざされた光の反射手段で反射された際に、この反射光を受光素子で受光し、この受光に応じた電圧に変換された受光電圧が基準電圧を越えた際にスイッチング動作を行う非接触型センサを有し、そのスイッチング動作によってパチンコ遊技の所定動作を制御するようになされたパチンコ機において、前記反射光以外の外部光源の光受光による受光電圧が前記基準電圧を越えないように当該基準電圧を制御する感度制御手段と、前記第１の制御手段による制御が行われる際に、前記パチンコ遊技ができない状態にインターロックをかけるインターロック手段と、前記感度制御手段によって、前記基準電圧が、前記反射光以外の外部光源の光受光による受光電圧が当該基準電圧を越えないように制御された際に、この制御完了を人に確認可能に通知する通知手段とを備えたことを特徴としている。
【０００８】
但し、反射手段は、人の手を想定しているが、手以外に光を反射する物体であればどのような物でもよい。
この構成によれば、パチンコ遊技が不可能な状態に制御されたインターロックがかかった状態で、発光光の反射光以外の外部光源の光受光では非接触型センサが反応しないように受光感度調整することができる。つまり、安全な状態で受光感度調整をすることができる。また、その調整の完了が人に通知されるので、確実に受光感度調整を行うことができる。
【０００９】
また、本発明の請求項２によるパチンコ機は、請求項１において、人による操作が可能で、パチンコ機における鍵がかかる扉の内部に配設された操作手段を更に備え、前記操作手段の操作量に応じて前記感度制御手段による前記基準電圧の制御が行われ、且つパチンコ機の鍵がかかる扉の内部に配設された操作手段を更に備え、前記扉が開放されることにより前記インターロックがかかるように制御され、この後、前記操作手段の操作量に応じて前記基準電圧が制御されるようにしたことを特徴としている。
【００１０】
この構成によれば、操作手段がロックがかかる扉の内部に配設されているので、遊技者が勝手に操作することを防止することができる。また、受光感度調整を行う際に扉を開けるとインターロックが必ずかかるので、パチンコ機に不具合を与えない適正な状態で受光感度調整を行うことができる。また、操作手段によって容易に受光感度調整ができるので、出荷後でもパチンコ機個々に行うことができる。
【発明の効果】
【００１１】
以上説明したように本発明によれば、光電素子を用いた非接触型センサが天井側に配置された蛍光灯等の外部光源からの光によって誤作動することを防止することができ、これによって遊技者の意図しない所定のパチンコ遊技の誤動作を防止することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
（実施の形態）
図１は、本発明の実施の形態に係るパチンコ機の構成を示す図である。
図１に示すパチンコ機本体２５には、従来例で図４を参照して説明したように遊技盤１１の盤面（前面）１１ａに非接触型センサ３０が配設され、遊技盤１１の下に位置する上皿扉３１を空けた内部には、感度調整ボリューム３３と、点検用ＬＥＤ(Light emitting diode)３５と、インターロックスイッチ３７とが設けられている。
【００１３】
非接触型センサ３０は、図２に示すように回路が構成されている。但し、図２においては発光素子１５ａとして発光ダイオード、受光素子１５ｂとしてフォトカプラを想定しており、以降、発光素子１５ａを発光ダイオード１５ａ、受光素子１５ｂをフォトカプラ１５ｂと称す場合もある。
発光ダイオード１５ａは、アノード側に抵抗器４１が接続されて電源ＶｃｃとアースＧＮＤとの間に接続され、フォトカプラ１５ｂは、エミッタ側に抵抗器４２が接続されて電源ＶｃｃとアースＧＮＤとの間に接続されている。
【００１４】
フォトカプラ１５ｂと抵抗器４２との間は、演算増幅器を用いたコンパレータ４３の非反転入力端（＋）に接続され、同コンパレータ４３の反転入力端（−）は、可変抵抗器４４の摺動電極部４４ａに接続されている。可変抵抗器４４は、フォトカプラ１５ｂと並列に電源ＶｃｃとアースＧＮＤ間に接続され、また電源Ｖｃｃとコンパレータ４３の出力端との間には抵抗器４５が接続されている。更に、コンパレータ４３の出力端は、パチンコ機の図３にも示す主制御部５１に接続されており、非接触型センサ３０のスイッチング動作がオンとなった時にコンパレータ４３から出力されるオン信号が主制御部５１へ出力されるようになっている。
【００１５】
可変抵抗器４４の摺動電極部４４ａは、感度調整ボリューム３３に接続されており、この感度調整ボリューム３３を点検者が手動で廻すことによって抵抗値が変化し、これに応じてコンパレータ４３のスレッショルド電圧が変化するようになっている。本実施の形態の特徴としては、そのようにスレッショルド電圧を可変することによって、発光ダイオード１５ａからの発光光が反射した反射光以外の外部光源の光受光では、コンパレータ４３がオン動作しない（反応しない）、つまり、非接触型センサ３０が検知状態とならないようにすることを可能としている。
【００１６】
また、主制御部５１には、図３に示すように、インターロックスイッチ３７が接続されており、上皿扉３１が開かれた際に、インターロックスイッチ３７がオンとなって、このオン信号を受けた主制御部５１が、パチンコ遊技を不可能な状態に制御するようになっている。
また、このパチンコ遊技が不可能な状態において、上記のように感度調整ボリューム３３を徐々に下げ、コンパレータ４３が発光光の反射光以外の外部光源の光受光では反応しない状態となると、点検用ＬＥＤ３５が点灯するようになっている。この点灯制御は、図３に示すように、演出制御部５３に点検用ＬＥＤ３５が接続されており、主制御部５１が演出制御部５３を介して行うようになっている。
【００１７】
このような構成のパチンコ機における非接触型センサ３０の受光感度調整を行う際の動作を説明する。
例えば、パチンコ遊技中に従来例で説明したように、非接触型センサ３０が外部光源の光に反応して、遊技者が手をかざしていないにも関らず誤作動を行い、遊技者の意図に反して動作中の図柄が停止してしまう不具合が生じたとする。
この場合、点検者によって受光感度調整が行われる。まず、上皿扉３１のロックが解除されて開けられる。これによって、インターロックスイッチ３７がオンとなって、このオン信号を受けた主制御部５１によって、パチンコ遊技が不可能な状態に制御される。
【００１８】
点検者は次に、感度調整ボリューム３３を徐々に下げ、非接触型センサ３０が当該センサ３０の前に手がかざされていない状態で反応し無くなるようにする。つまり、感度調整ボリューム３３が徐々に下げられることによって、可変抵抗器４４の抵抗値が変化し、これに応じてコンパレータ４３のスレッショルド電圧が変化する。そして、スレッショルド電圧が、発光光の反射光以外の現在の外部光源の光受光状態でコンパレータ４３が反応しない状態の電圧となると、主制御部５１によって点検用ＬＥＤ３５が点灯される。
【００１９】
この点灯を確認した点検者は、上皿扉３１を閉じてロックする。これによって、インターロックスイッチ３７がオフ状態となるので、これを受けた主制御部５１によってパチンコ遊技が可能な元の状態に戻される。
このように、本実施の形態のパチンコ機によれば、パチンコ遊技が不可能な状態に制御されたインターロックがかかった状態で、感度調整ボリューム３３によって、発光光の反射光以外の外部光源の光受光では非接触型センサ３０が反応しないようにする受光感度調整を行うことができる。
これによって、非接触型センサ３０が外部光源の光を受光しても誤作動が生じないので、従来のような非接触型センサの誤作動による遊技者の意図に反した図柄動作の停止など、パチンコ遊技の誤動作を防止することができる。
【００２０】
また、受光感度調整を行う際には、必ず上皿扉３１を開けるので、この開放時に必ずインターロックスイッチ３７がオンとなってパチンコ遊技が不可能な状態となる。また、上皿扉３１にはロックがかかっているので遊技者が勝手に操作することを防止することができる。つまり、遊技者に迷惑をかけることなく、またパチンコ店側にも不利な状態とならないように、受光感度調整を行うことができる。また、出荷後でもパチンコ機個々に行うことができる。
更に、受光感度調整によって非接触型センサ３０が上記のように適正な受光感度となると、点検用ＬＥＤ３５が点灯するので、点検者はそれを容易に確認することができる。この確認手段は、点検用ＬＥＤ３５のみならず、音声を発生する装置などの人が認識できる出力を行う装置を設けてもよい。
【図面の簡単な説明】
【００２１】
【図１】本発明の実施の形態に係るパチンコ機の構成を示す図である。
【図２】上記実施の形態に係るパチンコ機の非接触型センサの構成を示す回路図である。
【図３】上記実施の形態に係るパチンコ機の制御構成を示すブロック図である。
【図４】パチンコ機の遊技盤における非接触型センサの取り付け位置を示す正面図である。
【図５】従来の遊技盤における非接触型センサ部分の断面図である。
【図６】従来のパチンコ機を設置した際の非接触型センサの発光／受光面が向く方向を示す側面図である。
【符号の説明】
【００２２】
１１  遊技盤
１１ａ  盤面
１３  ベース
１５，３０  非接触型センサ
１５ａ  発光素子（発光ダイオード）
１５ｂ  受光素子（フォトカプラ）
１５ｄ  発光／受光面
１９  手
２１  垂直線
２２  天井
２３  蛍光灯
３１  上皿扉
３３  感度調整ボリューム
３５  点検用ＬＥＤ
３７  インターロックスイッチ
４１，４２，４５  抵抗器
４３  コンパレータ
４４  可変抵抗器
４４ａ  可変抵抗器４４の摺動電極部
５１  主制御部
５３  演出制御部
Ｖｃｃ  電源
ＧＮＤ  アース
【図１】
2005185364.tif 000003
【図２】
2005185364.tif 000004
【図３】
2005185364.tif 000005
【図４】
2005185364.tif 000006
【図５】
2005185364.tif 000007
【図６】
2005185364.tif 000008